(57)【要約】【課題】  紙類を極めて簡便に取り扱い及び収容することができ、挟持する紙類の量に応じてその厚みを変化させるファイルを提供すること。簡単な構成で、しかも紙類の保持状態の安定性を確保できるファイルを提供すること。使用時の自由度が高いファイルを提供すること。【解決手段】  紙類をまとめるファイルは、ファイル本体１を備える。ファイル本体１は、板部２と、板部２に対して固定された紐状のゴム部材３とを備えている。ゴム部材３は、板部の正面２ａで、その隅部を斜めに横切るように配設されている。【選択図】      図３
2005297459.tif 000002
【特許請求の範囲】
【請求項１】
紙類をまとめるファイルであって、
板状の本体と、同本体に対して固定された弾性部材とを備え、
前記弾性部材は、前記本体の一面で、その隣合う２つの隅部に対してそれぞれ斜めに横切るように配設され、前記本体の一面に重ねられた紙類を挟持することを特徴とするファイル。
【請求項２】
請求項１に記載のファイルにおいて、
前記弾性部材は、前記本体の一面で、同本体の略中央部を、前記本体の一辺と略平行な方向に横切るように配設されることを特徴とするファイル。
【請求項３】
請求項１又は２に記載のファイルにおいて、
前記本体と、前記隣合う２つの隅部に対してそれぞれ斜めに横切る弾性部材との間に、前記本体の一面に重ねられた紙類を支持するカバーを配設し、
前記カバーを折り返すことにより、前記カバーと前記本体との間の前記紙類の一端を挟持することを特徴とするファイル。
【発明の詳細な説明】
【技術分野】
【０００１】
本発明は、ファイルに関する。
【背景技術】
【０００２】
書類をまとめるためのファイルとしては、例えば、樹脂等からなる長方形状のシートを２枚重ね合わせ、その２辺又は３辺を固着した袋状のファイルや、その袋状のファイルにマチを付けたファイルが知られている。さらに、カバーに挟まれた書類を回動レバー等を有する挟持手段により一端で綴じ、書類をめくって参照できるファイル等も知られている。
【発明の開示】
【発明が解決しようとする課題】
【０００３】
ところが、前記した略袋状のファイルは、書類を簡単にしまうことができる利点を有するが、収納可能枚数が少なかったり、収納された書類を参照したい場合に、ファイルの中の書類を取り出す必要があり、書類をファイリングされた状態で確認することができない。
【０００４】
また、書類を取り外し可能に綴じるファイルを使用した場合、書類は挟持手段により比較的強固に固定されるが、書類をファイリングするのに手間がかかる場合がある。また、このタイプのファイルは、書類をファイルに固定するためのレバーや締結用の金具等の部品が必要となり、部品点数が多い傾向がある。さらに、このタイプのファイルは、比較的多い枚数を収容可能に構成されているが、背表紙の幅が大きくなり、スペースをとる場合がある。
【０００５】
本発明は、上記問題点に鑑みてなされたものであって、その目的は、紙類を極めて簡便に取り扱い及び収容することができ、挟持する紙類の量に応じてその厚みを変化させるファイルを提供することにある。
【０００６】
また、本発明の別の目的は、簡単な構成で、しかも紙類の保持状態の安定性を確保できるファイルを提供することにある。
また、本発明の別の目的は、使用時の自由度が高いファイルを提供することにある。
【課題を解決するための手段】
【０００７】
上記問題点を解決するために、請求項１に記載の発明は、紙類をまとめるファイルであって、板状の本体と、同本体に対して固定された弾性部材とを備え、前記弾性部材は、前記本体の一面で、その隣合う２つの隅部に対してそれぞれ斜めに横切るように配設され、前記本体の一面に重ねられた紙類を挟持することを要旨とする。
【０００８】
請求項２に記載の発明は、請求項１に記載のファイルにおいて、前記弾性部材は、前記本体の一面で、同本体の略中央部を、前記本体の一辺と略平行な方向に横切るように配設されることを要旨とする。
【０００９】
請求項３に記載の発明は、請求項１又は２に記載のファイルにおいて、前記本体と、前記隣合う２つの隅部に対してそれぞれ斜めに横切る弾性部材との間に、前記本体の一面に重ねられた紙類を支持するカバーを配設し、前記カバーを折り返すことにより、前記カバーと前記本体との間の前記紙類の一端を挟持することを要旨とする。
【００１０】
（作用）
請求項１の発明によれば、ファイルの弾性部材は、本体の一面で、その隣り合う２つの隅部に対して斜めに横切るように配設されている。このため、本体の一面に重ねられた紙等の隅部に、弾性部材をそれぞれ引っ掛けるだけで、本体と弾性部材との間で紙類を安定して挟持することができる。また、ファイルの構成を簡単にし、部品点数を少なくすることができる。さらに、挟持する紙類の量に応じて弾性部材が弾性変形するので、ファイル全体の厚みが紙類の量に応じて変化する。このため、挟持する紙類が少ない場合は、ファイルの厚みを小さくすることができる。
【００１１】
請求項２の発明によれば、ファイルの弾性部材は、本体の一面で、その中央部を本体の一辺と略平行な方向に横切るように配設される。従って、本体に重ねられた紙類を、その略中央部に弾性部材を引っ掛けるだけで、本体に対して簡単に、しかも安定して固定することができる。
【００１２】
請求項３の発明によれば、本体と弾性部材との間に、本体の一面に重ねられた紙類を支持するカバーを配設した。このため、持ち運ぶ時等に本体から対象物がずれ落ちるのを、より確実に防止できる。また、紙類の出し入れを円滑に補助できる。さらに、カバーを折り返すことで、カバーと本体との間の紙類の一端を挟持する。このため、紙類を、カバーと本体との間に挟んだ状態で、書籍のように頁めくりして参照することができる。つまり、使用時の自由度を向上させることができる。
【発明の効果】
【００１３】
本発明によれば、紙類を極めて簡便に取り扱い及び収容することができ、挟持する紙類の量に応じてその厚みを変化させるファイルを提供することができる。また、簡単な構成で、しかも紙類の保持状態の安定性を確保できるファイルを提供することができる。また、使用時の自由度が高いファイルを提供することができる。
【発明を実施するための最良の形態】
【００１４】
以下、本発明を具体化したファイルの一実施形態を図１〜図８に従って説明する。
図１は、ファイルを構成するファイル本体１の正面図、図２はファイル本体１の背面図である。図１に示すように、ファイル本体１は、厚紙からなる、本体としての板部２と、弾性部材としてのゴム部材３とを備えている。
【００１５】
板部２は、Ａ５版、Ｂ５版等の紙規格判形よりも大きく、略長方形状に形成されている。板部の上辺２ｅ側の中央部には、３個の孔２ｇが等間隔で形成されている。これらの孔２ｇは、円形状に切り抜かれている。
【００１６】
紐状のゴム部材３は、輪になるように形成されている。図２に示すように、このゴム部材３は、板部２の背面２ｂの４箇所（固定箇所Ｐ１〜Ｐ４という）で板部２に対して固定されている。具体的には、ゴム部材３は、背面２ｂの短手方向（図２中Ｙ方向）において中央付近であって、板部２の右辺２ｃ（図２では左側）側及び左辺２ｄ（図２では右側）側の固定箇所Ｐ１，Ｐ２で、略Ｕ字型の第１金具４によって係止されている。
【００１７】
また、ゴム部材３は、背面２ｂの下辺２ｆ側であって、下辺２ｆの中央位置を挟んで対称となる固定箇所Ｐ３，Ｐ４で、略Ｕ字型の第２金具５によって係止されている。具体的には、板部２の長手方向（図２中Ｘ方向）の長さと比較して、右辺２ｃ及び左辺２ｄから、それぞれ３／８くらいの距離の位置に第２金具５が固定されている。その結果、図２中実線及び２点鎖線に示すように、板部２の背面２ｂにおいて、固定箇所Ｐ１〜Ｐ４に設けた第１金具４及び第２金具５に係止されたゴム部材３は、台形を描くように配設される。
【００１８】
そして、板部２に対して第１金具４及び第２金具５を介して固定されたゴム部材３のうち、第１金具４から第２金具５へと延びる傾斜部３ａ（図２中２点鎖線）を、弾性変形させて、背面２ｂ側から正面２ａ側に配置する。その結果、図１に示すように、各傾斜部３ａは、板部２の右辺２ｃ及び左辺２ｄから、それぞれ下辺２ｆに向かって延び、板部２の右下隅部と左下隅部を斜めに横切るように配置される。
【００１９】
正面２ａ側に配置された傾斜部３ａは、板部２の正面２ａから離間させるような外力を受けると、正面２ａに近接するような弾性力を生じる。このため、図１の２点鎖線に示すように、紙類としての紙Ｐの各隅部を、傾斜部３ａと板部２との間に挟み込むと、紙Ｐは傾斜部３ａによって板部２に対して固定される。そして、傾斜部３ａと板部２との間に、例えば、数十枚の紙Ｐを挟む等して、ファイリングする対象の厚みが大きくなっても、ゴム部材３が紙Ｐ等を板部２に押し付けるような弾性力を付与するため、紙Ｐ等は板部２からずれ落ちない程度に固定されるようになっている。つまり、ゴム部材３は、ファイリングする紙の厚みに応じて弾性変形するようになっている。
【００２０】
また、板部２は、紙規格判形よりも大きく形成されているので、図１のように紙Ｐが挟まれても、紙Ｐによって覆われない記入領域Ｒが設けられる。この記入領域Ｒは、鉛筆等によって文字等が記入されることで、見出し欄、メモ記入欄として機能する。
【００２１】
また、図２に示すように、各第１金具４の間に配設されたゴム部材３の直線部３ｂを、板部２の上辺２ｅ側から回すようにして、正面２ａ側に移動させると、図３に示すようにその直線部３ｂが正面２ａ側に配置される。そして、直線部３ｂは、板部２の長手方向（図３中Ｘ方向）に、正面２ａを横切るように配設される。このため、傾斜部３ａによって、その隅部を固定された紙Ｐは、直線部３ｂによっても支持固定されるため、板部２からの落下がより確実に防止された状態になる。
【００２２】
そして、このように、板部２とゴム部材３との間に紙Ｐ等を挟んだファイル本体１は、その厚みが薄く、平らであるので、複数のファイル本体１を机等の上に平積みして使用することができる。また、ファイル本体１は、紙規格判形よりも大きく形成されているので、例えば、Ａ４版の紙、封筒、雑誌、書類を挟んだ他のファイル等、それぞれ異なる大きさの書類を一緒に挟み込むことができる。
【００２３】
次に、前記ファイル本体１と協働して使用される、ファイルを構成するカバー７について図４及び図５に従って説明する。図４はカバー７の正面図、図５はカバー７の背面図である。
【００２４】
図４及び図５において、カバー７は、厚紙から形成され、板部８と把持部９とから構成されている。板部８は、略長方形状に形成されている。尚、この板部８の短手方向（図４中Ｙ方向）の長さは、ファイル本体１の板部２の短手方向（図１中Ｙ方向）の長さよりも短くなるように形成されている。
【００２５】
把持部９は、板部８と一体に形成されている。把持部９は、図５の２点鎖線に示すように、カバー７を厚紙から切り抜く際に、同時に切り抜かれた３つの補強部９ａを折り曲げ重ね合わせることで略台形状に形成されている。その結果、把持部９は、２枚の厚紙が重ねられた状態になるので、破損等が生じにくくなっている。また、図４に示すように、把持部９の中央部には、略楕円状の孔９ｂが形成され、この孔９ｂは複数本の指を引っ掛けることが可能な大きさになっている。
【００２６】
また、板部８の右辺８ｅと左辺８ｆには、切り欠き部１０がそれぞれ形成されている。各切り欠き部１０は、円弧状の係止部１０ａと、その円弧状の係止部１０ａの底部から上
辺８ｃに向かって斜状に形成されたテーパ部１０ｂとからなる。
【００２７】
さらに、板部８の下辺８ｄ側には、２箇所に、左右対称となるように円弧状の切り込み１２ａ，１２ｂと、係止孔１３ａ，１３ｂとが形成されている。右側の切り込み１２ａは、板部８の下辺８ｄから、斜め右上に向かって円弧を描くように形成されている。また、右側の係止孔１３ａは、略楕円状に切り抜かれ、右辺８ｅ側に傾斜している。一方、左側の切り込み１２ｂは、板部８の下辺８ｄから斜め左上に向かって円弧を描くように形成されている。さらに、左側の係止孔１３ｂは、略楕円状に切り抜かれ、左辺８ｆ側に傾斜している。左右一対の切り込み１２ａ，１２ｂの下辺８ｄの切り口の間隔Ｄ１は、前記ファイル本体１の正面２ａに配置され、板部２の左下隅部と右下隅部をそれぞれ斜めに横切る一対の傾斜部３ａの下辺２ｆ部分の間隔Ｄ２（図１参照）より大きく形成されている。
【００２８】
また、板部８には、第１及び第２折り条１４、１５が設けられている。第１折り条１４は、板部８の中央付近に、板部８の長手方向（図４中Ｘ方向）と平行に形成されている。この第１折り条１４は、板部８を正面８ａ側に折り返しやすいように設けられている。
【００２９】
第２折り条１５は、第１折り条１４よりも下辺８ｄ寄りに設けられており、第１折り条１４と同じ形状に形成されている。このため、板部８は、第１折り条１４及び第２折り条１５の２箇所の位置において、正面８ａ側に折り返しやすいようになっている。
【００３０】
このカバー７は、図６に示すように、ファイル本体１に対して着脱可能に固定される。詳述すると、紙Ｐを固定した板部２の正面２ａと、正面２ａ側に配置されたゴム部材３の傾斜部３ａとの間に、カバー７の下辺８ｄ側の両隅部を差し込む。さらに、ゴム部材３の傾斜部３ａを、カバー７のそれぞれの切り込み１２ａ，１２ｂに挿入して、係止孔１３ａ，１３ｂに引っ掛ける。これによって、図６に示すように、カバー７は、ゴム部材３の弾性力が付与されて、ファイル本体１に対して固定される。
【００３１】
尚、このとき、切り込み１２ａ、１２ｂの切り口の間隔Ｄ１は、一対の傾斜部３ａの下辺２ｆ部分の間隔Ｄ２より大きく形成されている。そのため、カバー７の両隅部をゴム部材３の傾斜部３ａとファイル本体１との間に差し込む際に、カバー７の切り込み１２ａ，１２ｂの入り口が、ファイル本体１の傾斜部３ａに当たるため、スムースに傾斜部３ａは切り込み１２ａ，１２ｂを介して係止孔１３ａ，１３ｂに案内される。しかも、切り込み１２ａ，１２ｂが内側から外側へ向かうように円弧状に形成されることにより、傾斜部３ａは、ゴム部材３の弾性力により自然に係止孔１３ａ，１３ｂに誘導されるようになっている。また、係止孔１３ａ，１３ｂは、傾斜部３ａの傾斜角度とほぼ同じ角度で傾くように形成され、傾斜部３ａに無用なテンションを付与しないで傾斜部３ａを引っ掛けやすいようになっている。
【００３２】
さらに、右側の切り込み１２ａは斜め右上に、左側の切り込み１２ｂは斜め左上に向かってそれぞれ円弧を描くように形成されている。そのため、係止孔１３ａ，１３ｂにゴム部材３の傾斜部３ａを引っ掛けた状態からカバー７が上方に引き上げられたとき、円弧状の切り込み１２ａ，１２ｂが傾斜部３ａを引っ掛けるように作用するため、カバー７はファイル本体１から容易に外れない。
【００３３】
その結果、ファイル本体１とカバー７とによって、ファイルＦが形成される。紙Ｐは、ファイル本体１とカバー７との間に挟まれ、ゴム部材３の傾斜部３ａにより、その下側隅部を支持されることで、安定して保持されるようになっている。このとき、ファイル本体１の記入領域Ｒは、カバー７がファイル本体１に配設されても、外部から視認可能になっている。さらに、図６に示す状態では、ファイル本体１の板部２の背面２ｂ側等に配置されたゴム部材３の直線部３ｂを、カバー７の板部８の正面８ａ側に配置して、紙Ｐをより
強固に固定してもよい。
【００３４】
また、ファイルＦを持ち運ぶ場合には、カバー７の把持部９の孔９ｂと、ファイル本体１の孔２ｇとに指を引っ掛け、運ぶようになっている。このとき、把持部９が補強部９ａによって補強されることで、何度も孔９ｂに指を引っ掛けても、把持部９が破損しないようになっている。また、カバー７の孔９ｂ及びファイル本体１の孔２ｇのいずれかに指を引っ掛けて運ぶこともできる。
【００３５】
また、図６に示す状態の際に、ファイル本体１の背面２ｂ等に配置されたゴム部材３の直線部３ｂをファイル本体１の上辺２ｅ側から回すようにして、図７に示すように、直線部３ｂをカバー７の正面８ａを横切るように配置して使用することもできる。このように使用すると、紙類の保持状態がより安定する。また、紙Ｐ等の出し入れを円滑に補助できるとともに、紙Ｐを閲覧しながら選択可能になっている。
【００３６】
また、正面８ａ側に配置された直線部３ｂを把持部９に引っ掛け、直線部３ｂの一部をカバー７の背面８ｂ側に配置させて使用することもできる。その結果、図７中２点鎖線に示すように、ゴム部材３の直線部３ｂの一部が斜めに配置される。さらに、図７の実線に示すように、直線部３ｂをカバー７の正面８ａ全体を横切るように配置するのではなく、図６中２点鎖線に示すように、直線部３ｂを把持部９のみに引っ掛けて、使用することもできる。
【００３７】
また、ファイルＦに挟まれた紙Ｐを確認したり、参照したりする場合には、図８に示すように、第１折り条１４の位置にて、カバー７の板部８を正面８ａ側に折り返す。すると、カバー７とファイル本体１の板部２との間に挟持された紙Ｐ等を見ることができる。
【００３８】
さらに、カバー７の板部８を、第２折り条１５において正面８ａ側に折り、板部８の第１折り条１４よりも上端部を、ファイル本体１の板部２の背面２ｂ側に折り返すと、図９に示すように、紙Ｐ全体を参照することができる。そして、図９に示す、カバー７の折り返し部とファイル本体１とを手で把持することにより、紙Ｐの端を固定すると、紙Ｐをめくりながら、各頁を書籍のように参照することができる。このとき、ゴム部材３が、カバー７をファイル本体１に近づけようとする弾性力を付与するとともに、第２折り条１５で折り曲げたことによって第２折り条１５より下辺８ｄ側の板部８に反力が発生する。これによって、紙Ｐ等がカバー７とファイル本体１との間で挟持され、クリップのような効果を得ることができる。また、ゴム部材３は、カバー７の係止部１０ａに掛止され、カバー７及びファイル本体１から抜け落ちない。また、折り返されたカバー７を、ファイル本体１側に戻すと、ゴム部材３は、縮む方向の弾性力の作用により、切り欠き部１０のテーパ部１０ｂに導かれて定位置（図６に示す位置）に戻る。
【００３９】
上記実施形態のファイルによれば、以下のような効果を得ることができる。
（１）上記実施形態では、ファイルＦを、ファイル本体１と、ファイル本体１に対して固定された紐状のゴム部材３とから構成した。そして、ゴム部材３は、ファイル本体１の板部２の正面２ａで、その隅部を斜めに横切るように配設されるようにした。このため、ファイル本体１の板部２の正面２ａに重ねられた紙等の隅部を、ゴム部材３の傾斜部３ａに引っ掛けるだけで、ファイル本体１とゴム部材３との間で紙Ｐ等を挟持することができる。また、ゴム部材３が紙Ｐをファイル本体１に押し付けるような弾性力を付与するので、安定した保持状態を保つことができる。しかも、ファイルＦの構成を簡単にし、部品点数を少なくすることができる。
【００４０】
さらに、ゴム部材３が、ファイリングの対象となる紙束の厚みに応じて弾性変形するので、紙束の厚みに応じて、ファイルＦの厚みを変更できる。また、ファイル本体１の厚み
が薄く、平らであるので、ファイル本体１とゴム部材３との間に紙Ｐ等を挟んでも、複数のファイル本体１を机等の上に平積みして使用することができる。
【００４１】
（２）上記実施形態では、ファイル本体１に固定されたゴム部材３の直線部３ｂが、ファイル本体１の板部２の正面２ａで、その略中央部を、板部２の長手方向と略平行な方向に横切るように配設されるようにした。このため、正面２ａにおいて、ゴム部材３の傾斜部３ａにて隅部を固定された紙Ｐは、その中央部付近でも直線部３ｂによって固定される。このため、ファイルＦの紙Ｐの保持力に対する信頼性を向上させることができる。また、ファイル本体１の板部２に重ねられた紙Ｐの中央付近を、直線部３ｂとファイル本体１との間で挟持させるだけで、紙Ｐを簡単に、しかも安定した状態で保持することができる。しかも、紙Ｐが直線部３ｂとファイル本体１との間で支持されることで、紙Ｐの出し入れを円滑に行うことができる。
【００４２】
（３）上記実施形態では、ファイル本体１と、ゴム部材３との間に、カバー７を配設した。そして、このカバー７によって、ファイル本体１との間で、紙Ｐを挟持して固定するようにした。このため、ファイルＦから、紙等がずれ落ちるのをより確実に防止できる。また、このカバー７を折り返して、その折り返し部とファイル本体１との間で紙Ｐ等をクリップのように把持することができるので、ファイルＦに保持された紙Ｐ等をめくりながら参照することができる。また、カバー７をファイル本体１に取付けなくても、ファイル本体１単体で使用できるため、ファイルＦの自由度を向上させることができる。また、カバー７が取着されても、ファイルＦ自体の厚みは厚くならないので、紙Ｐ等を挟んだファイルＦを机の上等に平積みして置くことができる。
【００４３】
（４）上記実施形態では、ファイル本体１は、紙規格判形よりも大きく形成されているので、例えば、Ａ４版の紙、封筒、書類を挟んだ他のファイル等、それぞれ異なる大きさの書類を一緒に挟み込むことができる。また、ファイル本体１が紙規格判形よりも大きく形成されることで、紙Ｐが挟まれたり、カバー７が取着されても、紙Ｐ及びカバー７によって覆われない記入領域Ｒを設けることができる。この記入領域Ｒは、鉛筆等によって記入されることで、見出し、メモ記入欄として機能することができる。
【００４４】
尚、本実施形態は以下のように変更してもよい。
・上記実施形態では、ゴム部材３の直線部３ｂを、ファイル本体１の短手方向（Ｙ方向）と平行になるように、ファイル本体１に対して固定するようにしてもよい。
【００４５】
・上記実施形態では、板部２に形成された孔２ｇは、３個以外の個数でもよい。また、孔２ｇは、円形状でなく、楕円形状でもよい。また、板部２は、孔２ｇを省略しても良い。
【００４６】
・上記実施形態では、ファイル本体１の板部２及びカバー７は、厚紙から形成したが、薄板状の樹脂板から形成してもよい。
・上記実施形態では、弾性部材としてのゴム部材３は、その他の伸縮可能な綿素材の紐（線材）から構成してもよい。また、ゴム部材３の替わりに、帯状のゴム布、線状のスプリング等の弾性部材から構成してもよい。
【００４７】
・上記実施形態では、カバー７の把持部９を省略し、カバー７を単なる板状部材から形成してもよい。
・上記実施形態では、ゴム部材３は、輪になるように形成し、その一部が傾斜部３ａ、直線部３ｂを構成するようにしたが、各傾斜部３ａ、直線部３ｂをそれぞれ別のゴム部材から形成してもよい。そして、各ゴム部材をそれぞれ別にファイル本体１に固定してもよい。
【００４８】
・上記実施形態では、ゴム部材３を第１及び第２金具４，５で係止したが、溶着、接着剤による固着等、その他の方法でファイル本体１に固定してもよい。
・上記実施形態では、ファイルＦは、紙Ｐ以外のものを保持するファイルとして機能させてもよい。
【００４９】
・上記実施形態では、メモ記入領域Ｒに、ボールペン等で記入しても、その字を消しゴム等で消せる樹脂製のシート、専用のペンを用いて記入し、文字をスポンジ等で擦って消す、薄型のシート、専用の塗料を塗布したシート等、リライト（書き消し）可能なシートを固着するようにしてもよい。
【００５０】
・上記実施形態では、弾性部材としてのゴム部材３の傾斜部３ａの替わりに、ファイル本体１の板部２の２つの下隅を覆い、伸縮性のある布等から形成された、例えば略三角状の挟持部材を板部２に設けてもよい。また、この挟持部材は、三角状でなくてもよく、板状の紙と、ゴム材とから構成してもよい。この場合、ゴム部材３の直線部３ｂは、傾斜部３ａと独立して設けられた、紐状（線状）の弾性部材から構成してもよい。
【００５１】
次に、上記実施形態及び別例から把握できる技術的思想について、それらの効果とともに以下に追記する。
（ａ）  請求項３に記載のファイルにおいて、前記カバーには、持ち運びのための把持部が形成されていることを特徴とするファイル。
【００５２】
これによれば、ファイルを持ち運びしやすくなる。また、棚等に収容されたり平積みされたファイルを、引き出しやすくすることができる。
（ｂ）  請求項１〜３及び（ａ）のいずれか一つに記載のファイルにおいて、前記本体には、持ち運びのための孔が形成されていることを特徴とするファイル。
【００５３】
これによれば、ファイルを持ち運びしやすくなる。また、棚等に収容されたり平積みされたファイルを、引き出しやすくすることができる。
（ｃ）  請求項１〜３、（ａ）及び（ｂ）のいずれか一つに記載のファイルにおいて、前記弾性部材は、紐状に形成されていることを特徴とするファイル。
【００５４】
これによれば、弾性部材は紐状なので、カバー等に引っ掛けたりする等、ファイルの使用形態の自由度を向上させることができる。また、紙類を簡便にファイルに着脱することができる。
【図面の簡単な説明】
【００５５】
【図１】本発明のファイルを構成するファイル本体の正面図。
【図２】同ファイル本体の背面図。
【図３】同ファイル本体の正面図。
【図４】同ファイルを構成するカバーの正面図。
【図５】同カバーの背面図。
【図６】同ファイルの正面図。
【図７】同ファイルの作用を説明するための正面図。
【図８】同ファイルの作用を説明するための正面図。
【図９】同ファイルの作用を説明するための斜視図。
【符号の説明】
【００５６】
１…ファイルを構成するファイル本体、２…本体としての板部、３…弾性部材としてのゴム部材、７…ファイルを構成するカバー、Ｆ…ファイル、Ｐ…紙類としての紙。
【図１】
2005297459.tif 000003
【図２】
2005297459.tif 000004
【図３】
2005297459.tif 000005
【図４】
2005297459.tif 000006
【図５】
2005297459.tif 000007
【図６】
2005297459.tif 000008
【図７】
2005297459.tif 000009
【図８】
2005297459.tif 000010
【図９】
2005297459.tif 000011